(57)【要約】【課題】  ＷＥＢブラウザに表示されたリンクを容易に選択させる。【解決手段】  ＷＥＢブラウザのコンテンツデータ表示領域中に選択領域３５０を設ける。選択領域３５０内に位置するリンク表示３７１乃至３７６には枠表示が付される。選択領域３５０は操作端末からの操作信号に基づいてコンテンツデータ表示領域中を移動させることができ、所望のリンク表示を選択領域３５０内に含ませるように選択領域３５０を移動させる。選択領域３５０を移動させて選択領域の位置を決定すると、選択領域３５０は除去されて枠表示および太枠表示が表示される。太枠表示は操作端末からの操作信号に基づいて枠表示が付されたリンク表示の何れかに移動させられる。所望のリンク表示に太枠表示を移動させた後に操作端末から選択信号を送信するとＷＥＢブラウザにはそのリンク表示に対応するコンテンツデータが表示される。【選択図】      図６
2007026356.tif 000002
【特許請求の範囲】
【請求項１】
Ｗｅｂサーバからコンテンツデータの受信を行う受信手段と、
前記コンテンツデータ中の所定の選択領域の位置を移動すべき旨の操作信号を受信して当該操作信号に従った指示をする選択領域移動指示手段と、
前記選択領域移動指示手段からの指示に従って前記選択領域の位置を移動させて表示する選択領域表示手段と、
前記コンテンツデータを解析して前記コンテンツデータに含まれるリンクに対応する表示であるリンク表示の表示位置を前記コンテンツデータから抽出するリンク表示位置抽出手段と、
前記コンテンツデータに含まれる所定のリンクを選択すべき旨の操作信号を受信して当該操作信号に従った指示をするリンク選択指示手段と、
前記リンク選択指示手段において選択を指示された前記所定のリンクに対応するリンク表示の表示位置が前記選択領域内に属する場合に前記所定のリンクを選択する選択リンク制御手段と、
前記選択リンク制御手段において選択された前記所定のリンクのリンク先に対して前記リンク先が保持するコンテンツデータを返信すべき旨の要求を送信する送信手段と
を具備することを特徴とする情報処理装置。
【請求項２】
前記選択領域表示手段は、前記選択領域と前記選択領域以外の領域との間に輝度の差を設けて表示することを特徴とする請求項１記載の情報処理装置。
【請求項３】
前記選択領域表示手段は、前記選択領域の輪郭を円形状にして表示することを特徴とする請求項１記載の情報処理装置。
【請求項４】
前記選択領域表示手段は、前記コンテンツデータを表示する領域を所定数の領域に分割してその領域の一つを前記選択領域とし前記選択領域移動指示手段からの指示に従って前記選択領域の位置を前記分割した領域毎に移動させて表示することを特徴とする請求項１記載の情報処理装置。
【請求項５】
前記選択領域表示手段は、前記分割した領域をさらに所定数の領域に小分割してその小領域の一つを前記選択領域とし前記選択領域移動指示手段からの指示に従って前記選択領域の位置を前記小領域毎に移動させて表示することを特徴とする請求項４記載の情報処理装置。
【請求項６】
前記選択領域表示手段は、
前記選択領域の輪郭を円形状にして前記選択領域移動指示手段から指示に従って輪郭を円形状とした前記選択領域の位置を移動させて表示する円形選択領域表示手段と、
前記コンテンツデータを表示する領域を所定数の領域に分割してその領域の一つを前記選択領域として前記選択領域移動指示手段からの指示に従って前記選択領域の位置を前記分割した領域毎に移動させて表示する分割選択領域表示手段と
を備え、
前記円形選択領域表示手段および前記分割選択領域表示手段の何れか一つを選択する旨の操作信号を受信して当該操作信号に従った選択をする表示選択手段をさらに具備することを特徴とする請求項１記載の情報処理装置。
【請求項７】
前記選択領域表示手段は、前記コンテンツデータが表示される大きさに応じて前記選択領域の大きさを変えて表示することを特徴とする請求項１記載の情報処理装置。
【請求項８】
前記選択領域表示手段は、前記選択領域と関連付けられたアイコンを表示することを特徴とする請求項１記載の情報処理装置。
【請求項９】
リンク表示位置抽出手段は、
前記コンテンツデータから前記リンク表示の表示位置を定義する位置情報を抽出する位置情報抽出手段と、
前記位置情報に基づいて前記リンク表示の縦横幅を決定するリンク表示縦横幅決定手段と、
前記位置情報に基づいて前記コンテンツデータが表示される領域に対する前記リンク表示の絶対座標を決定するリンク表示座標決定手段と
を備えることを特徴とする請求項１記載の情報処理装置。
【請求項１０】
前記コンテンツデータは、ハイパーテキストマークアップ言語で記述されたデータを含むことを特徴とする請求項９記載の情報処理装置。
【請求項１１】
前記リンク表示座標決定手段は、
前記コンテンツデータ中のハイパーテキストマークアップ言語で記述されたデータより抽出されたテーブルに関する前記位置情報に基づいて前記コンテンツデータが表示される領域に対する前記テーブルの絶対座標を決定するテーブル座標決定手段と、
前記コンテンツデータ中のハイパーテキストマークアップ言語で記述されたデータより抽出されたリンクに関する前記位置情報に基づいて前記テーブルに対する前記リンク表示の相対座標を決定するリンク表示相対座標決定手段と、
前記相対座標および前記テーブルの絶対座標に基づいて前記コンテンツデータが表示される領域に対する前記リンク表示の絶対座標を決定するリンク表示絶対座標決定手段と
を備えることを特徴とする請求項１０記載の情報処理装置。
【請求項１２】
前記リンク表示絶対座標決定手段は、前記テーブル内に位置しない前記リンク表示に対して前記コンテンツデータ中のハイパーテキストマークアップ言語で記述されたデータより抽出されたリンクに関する前記位置情報に基づいて前記コンテンツデータが表示される領域に対する前記リンク表示の絶対座標を決定することを特徴とする請求項１１記載の情報処理装置。
【請求項１３】
前記選択リンク制御手段は、前記選択領域内に位置する前記リンク表示に対して前記選択領域内に位置する旨を表示させることを特徴とする請求項１記載の情報処理装置。
【請求項１４】
前記操作信号は、赤外線通信による操作信号であることを特徴とする請求項１記載の情報処理装置。
【請求項１５】
Ｗｅｂサーバからコンテンツデータの受信を行う受信手段と、
前記コンテンツデータ中の所定の選択領域の位置を移動すべき旨の操作信号を受信して当該操作信号に従った指示をする選択領域移動指示手段と、
前記選択領域移動指示手段からの指示に従って前記選択領域の位置を移動させて表示する選択領域表示手段と、
前記コンテンツデータを解析して前記コンテンツデータに含まれるリンクに対応する表示であるリンク表示の表示位置を前記コンテンツデータから抽出するリンク表示位置抽出手段と、
前記コンテンツデータに含まれる所定のリンクを選択すべき旨の操作信号を受信して当該操作信号に従った指示をするリンク選択指示手段と、
前記リンク選択指示手段において選択を指示された前記所定のリンクに対応するリンク表示の表示位置が前記選択領域内に属する場合に前記所定のリンクを選択する選択リンク制御手段と、
前記選択リンク制御手段において選択された前記所定のリンクのリンク先に対して前記リンク先が保持するコンテンツデータを返信すべき旨の要求を送信する送信手段と
を備えた情報処理装置と、
前記選択領域の位置を移動すべき旨の操作信号および前記コンテンツデータに含まれる前記所定のリンクを選択すべき旨の操作信号を送信する操作端末と
を具備することを特徴とする情報処理システム。
【請求項１６】
操作端末から送信される操作信号に従ってＷｅｂサーバから受信したコンテンツデータ中に表示されたリンクを選択してそのリンク先に対して所定のコンテンツデータを返信すべき旨の要求を送信する情報処理装置における処理方法であって、
前記コンテンツデータを解析して前記コンテンツデータ中に表示されたリンクに対応する表示であるリンク表示の表示位置を前記コンテンツデータから抽出するリンク表示位置抽出手順と、
前記コンテンツデータ中の所定の選択領域の位置を移動すべき旨の前記操作信号を受信して当該操作信号に従った指示をする選択領域移動指示手順と、
前記選択領域移動指示手順において行われた指示に従って前記選択領域の位置を移動させて表示させる選択領域表示手順と、
前記コンテンツデータ中に表示された所定のリンクを選択すべき旨の前記操作信号を受信して当該操作信号に従った指示をするリンク選択指示手順と、
前記リンク選択指示手順において選択を指示された前記所定のリンクに対応するリンク表示の表示位置が前記選択領域内に属する場合に前記所定のリンクを選択するリンク選択手順と、
前記選択された所定のリンクのリンク先に対して前記所定のコンテンツデータを返信すべき旨の要求を送信する送信手順と
を具備することを特徴とする処理方法。
【請求項１７】
操作端末から送信される操作信号に従ってＷｅｂサーバから受信したコンテンツデータ中に表示されたリンクを選択してそのリンク先に対して所定のコンテンツデータを返信すべき旨の要求を送信する情報処理装置に、
前記コンテンツデータを解析して前記コンテンツデータ中に表示されたリンクに対応する表示であるリンク表示の表示位置を前記コンテンツデータから抽出するリンク表示位置抽出手順と、
前記コンテンツデータ中の所定の選択領域の位置を移動すべき旨の前記操作信号を受信して当該操作信号に従った指示をする選択領域移動指示手順と、
前記選択領域移動指示手順において行われた指示に従って前記選択領域の位置を移動させて表示させる選択領域表示手順と、
前記コンテンツデータ中に表示された所定のリンクを選択すべき旨の前記操作信号を受信して当該操作信号に従った指示をするリンク選択指示手順と、
前記リンク選択指示手順において選択を指示された前記所定のリンクに対応するリンク表示の表示位置が前記選択領域内に属する場合に前記所定のリンクを選択するリンク選択手順と、
前記選択された所定のリンクのリンク先に対して前記所定のコンテンツデータを返信すべき旨の要求を送信する送信手順と
を実行させることを特徴とするプログラム。
【発明の詳細な説明】
【技術分野】
【０００１】
本発明は、ＷＥＢ（World Wide Web）ブラウジング機能が搭載された情報処理装置に関し、特にＷＥＢブラウザに表示されたリンクを容易に選択させる情報処理装置、および、これらにおける処理方法ならびに当該方法をコンピュータに実行させるプログラムに関する。
【背景技術】
【０００２】
近年、通信技術の発達によりインターネットは目覚しく普及し一般家庭でも利用されるようになってきている。従来、インターネットは、例えばパーソナルコンピュータ（以下、ＰＣと略す。）を介する利用が一般的であった。このインターネットの普及度を反映してＰＣを介したインターネットの利用以外にも、例えば家庭内機器を介したインターネットの利用も検討されるようになってきた。家庭内機器のうち、テレビにＷＥＢブラウジング機能を設けることによりテレビを介してインターネットを利用させる技術が提案されている（例えば、特許文献１参照。）。
【０００３】
この技術においては、ＷＥＢブラウザに表示されたリンクを選択する場合は、赤外線を用いたリモコンに設けられた方向キーによりテレビに表示されたカーソルを所望のリンクの上に移動させてリンクを選択する。
【特許文献１】特開２００２−９９１８４号公報（図１）
【発明の開示】
【発明が解決しようとする課題】
【０００４】
上述の従来技術においては、リンクの選択に際してカーソルをリモコンに設けられた方向キーにより移動させている。このとき、カーソルの移動速度を速くすると、目的とするリンクの上にカーソルを合わせることは難しくなる。また、カーソルの移動速度を遅くすると、例えば画面の端から端までカーソルを移動させる際にユーザーにストレスを感じさせるおそれがある。一方、適度なカーソルの移動速度は個人によって差があるものであり、上記従来技術を使いこなすには時間を要していた。
【０００５】
また、マウスと同様に自由な操作を実現する遠隔操作可能なアナログデバイスを搭載することによって上述の従来技術の問題点を解決することも考えられるが、自由な操作を実現する遠隔操作可能なアナログデバイスから送信される情報は情報量が多いため、通信速度が遅い赤外線通信以外の無線方式にする必要がある。しかしながら、赤外線通信方式以外の無線方式ではコストと消費電力がかかる。
【０００６】
そこで、本発明は、ＷＥＢブラウザに表示されたリンクを容易に選択させる情報処理装置を提供することを目的とする。
【課題を解決するための手段】
【０００７】
本発明は、上記課題を解決するためになされたものであり、その第１の側面は、Ｗｅｂサーバからコンテンツデータの受信を行う受信手段と、上記コンテンツデータ中の所定の選択領域の位置を移動すべき旨の操作信号を受信して当該操作信号に従った指示をする選択領域移動指示手段と、上記選択領域移動指示手段からの指示に従って上記選択領域の位置を移動させて表示する選択領域表示手段と、上記コンテンツデータを解析して上記コンテンツデータに含まれるリンクに対応する表示であるリンク表示の表示位置を上記コンテンツデータから抽出するリンク表示位置抽出手段と、上記コンテンツデータに含まれる所定のリンクを選択すべき旨の操作信号を受信して当該操作信号に従った指示をするリンク選択指示手段と、上記リンク選択指示手段において選択を指示された所定のリンクに対応するリンク表示の表示位置が上記選択領域内に属する場合に上記所定のリンクを選択する選択リンク制御手段と、上記選択リンク制御手段において選択されたリンクのリンク先に対して上記リンク先が保持するコンテンツデータを返信すべき旨の要求を送信する送信手段とを具備することを特徴とする情報処理装置である。これにより、ＷＥＢブラウザに表示されたリンクの選択を容易にさせるという作用をもたらす。
【０００８】
また、この第１の側面において、上記選択領域表示手段は、上記選択領域と上記選択領域以外の領域との間に輝度の差を設けて表示することを特徴とするものである。これにより、ユーザーに選択領域の位置を容易に把握させるという作用をもたらす。
【０００９】
また、この第１の側面において、上記選択領域表示手段は、上記選択領域の輪郭を円形状にして表示することを特徴とするものである。これにより、ユーザーに選択領域の位置を容易に把握させ、細かなリンク表示が多数あってもＷＥＢブラウザに表示されたリンクの選択を容易にさせるという作用をもたらす。
【００１０】
また、この第１の側面において、上記選択領域表示手段は、上記コンテンツデータを表示する領域を所定数の領域に分割してその領域の一つを上記選択領域とし上記選択領域移動指示手段からの指示に従って上記選択領域の位置を上記分割した領域毎に移動させて表示することを特徴とするものである。これにより、ユーザーに選択領域の位置を容易に把握させ、細かなリンク表示が多数あってもその選択を容易にさせるという作用をもたらす。
【００１１】
また、当該情報処理装置において、上記選択領域表示手段は、上記分割した領域をさらに所定数の領域に小分割してその小領域の一つを上記選択領域とし上記選択領域移動指示手段からの指示に従って上記選択領域の位置を上記小領域毎に移動させて表示することを特徴とするものである。これにより、ユーザーに選択領域の位置を容易に把握させ、細かなリンク表示が多数あってもＷＥＢブラウザに表示されたリンクの選択を容易にさせるという作用をもたらす。
【００１２】
また、この第１の側面において、上記選択領域表示手段は、上記選択領域の輪郭を円形状にして上記選択領域移動指示手段から指示に従って輪郭を円形状とした上記選択領域の位置を移動させて表示する円形選択領域表示手段と、上記コンテンツデータを表示する領域を所定数の領域に分割してその領域の一つを上記選択領域として上記選択領域移動指示手段からの指示に従って上記選択領域の位置を上記分割した領域毎に移動させて表示する分割選択領域表示手段とを備え、上記円形選択領域表示手段および上記分割選択領域表示手段の何れか一つを選択する旨の操作信号を受信して当該操作信号に従った選択をする表示選択手段をさらに具備することを特徴とするものである。これにより、ユーザーの選択によりユーザーに適合する方式で、ユーザーに選択領域の位置を容易に把握させ、細かなリンク表示が多数あってもＷＥＢブラウザに表示されたリンクの選択を容易にさせるという作用をもたらす。
【００１３】
また、この第１の側面において、上記選択領域表示手段は、上記リンク表示の大きさに応じて上記選択領域の大きさを変えて表示することを特徴とするものである。これにより、ユーザーの好みに合わせた選択領域を表示させるという作用をもたらす。
【００１４】
また、この第１の側面において、上記選択領域表示手段は、上記選択領域と関連付けられたアイコンを表示することを特徴とするものである。これにより、ユーザーに違和感なく選択領域を表示させるという作用をもたらす。
【００１５】
また、この第１の側面において、リンク表示位置抽出手段は、上記コンテンツデータから上記リンク表示の上記表示位置を定義する位置情報を抽出する位置情報抽出手段と、上記位置情報に基づいて上記リンク表示の縦横幅を決定するリンク表示縦横幅決定手段と、上記位置情報に基づいて上記コンテンツデータが表示される領域に対する上記リンク表示の絶対座標を決定するリンク表示座標決定手段とを備えることを特徴とするものである。これにより、コンテンツデータが表示される領域におけるリンク表示の位置を抽出させるという作用をもたらす。
【００１６】
また、上記コンテンツデータは、ハイパーテキストマークアップ言語で記述されたデータを含むことを特徴とするものである。これにより、既存の技術を用いて容易にコンテンツデータが表示される領域におけるリンク表示の位置を抽出させるという作用をもたらす。
【００１７】
また、この第１の側面において、上記リンク表示座標決定手段は、上記コンテンツデータ中のハイパーテキストマークアップ言語で記述されたデータより抽出されたテーブルに関する上記位置情報に基づいて上記コンテンツデータが表示される領域に対する上記テーブルの絶対座標を決定するテーブル座標決定手段と、上記コンテンツデータ中のハイパーテキストマークアップ言語で記述されたデータより抽出されたリンクに関する上記位置情報に基づいて上記テーブルに対する上記リンク表示の相対座標を決定するリンク表示相対座標決定手段と、上記相対座標および上記テーブルの絶対座標に基づいて上記コンテンツデータが表示される領域に対する上記リンク表示の絶対座標を決定するリンク表示絶対座標決定手段とを備えることを特徴とするものである。これにより、コンテンツデータが表示される領域におけるテーブル内に位置するリンク表示の位置を抽出させるという作用をもたらす。
【００１８】
また、上記リンク表示絶対座標決定手段は、上記テーブル内に位置しない上記リンク表示に対して上記コンテンツデータ中のハイパーテキストマークアップ言語で記述されたデータより抽出されたリンクに関する上記位置情報に基づいて上記コンテンツデータが表示される領域に対する上記リンク表示の絶対座標を決定することを特徴とするものである。これにより、コンテンツデータが表示される領域におけるテーブル内に位置しないリンク表示の位置を抽出させるという作用をもたらす。
【００１９】
また、この第１の側面において、上記選択リンク制御手段は、上記選択領域内に位置する上記リンク表示に対して上記選択領域内に位置する旨を表示させることを特徴とするものである。これにより、選択領域内に位置するリンク表示をユーザーに容易に把握させるという作用をもたらす。
【００２０】
また、この第１の側面において、上記操作信号は、赤外線通信による操作信号であることを特徴とするものである。これにより、必要なコストを低減させるという作用をもたらす。
【００２１】
また、本発明の第２の側面は、Ｗｅｂサーバからコンテンツデータの受信を行う受信手段と、上記コンテンツデータ中の所定の選択領域の位置を移動すべき旨の操作信号を受信して当該操作信号に従った指示をする選択領域移動指示手段と、上記選択領域移動指示手段からの指示に従って上記選択領域の位置を移動させて表示する選択領域表示手段と、上記コンテンツデータを解析して上記コンテンツデータに含まれるリンクに対応する表示であるリンク表示の表示位置を上記コンテンツデータから抽出するリンク表示位置抽出手段と、上記コンテンツデータに含まれる所定のリンクを選択すべき旨の操作信号を受信して当該操作信号に従った指示をするリンク選択指示手段と、上記リンク選択指示手段において選択を指示された所定のリンクに対応するリンク表示の表示位置が上記選択領域内に属する場合に上記所定のリンクを選択する選択リンク制御手段と、上記選択リンク制御手段において選択されたリンクのリンク先に対して上記リンク先が保持するコンテンツデータを返信すべき旨の要求を送信する送信手段と、上記選択領域の位置を移動すべき旨の操作信号および上記コンテンツデータに含まれる所定のリンクを選択すべき旨の操作信号を送信する操作端末とを具備することを特徴とする情報処理システムである。これにより、ＷＥＢブラウザに表示されたリンクの選択を容易にさせるという作用をもたらす。
【００２２】
また、本発明の第３の側面は、操作端末から送信される操作信号に従ってＷｅｂサーバから受信したコンテンツデータ中に表示されたリンクを選択してそのリンク先に対して所定のコンテンツデータを返信すべき旨の要求を送信する情報処理装置において以下の手順を実行する処理方法または以下の手順をコンピュータに実行させるプログラムであって、上記コンテンツデータを解析して上記コンテンツデータ中に表示されたリンクに対応する表示であるリンク表示の表示位置を上記コンテンツデータから抽出するリンク表示位置抽出手順と、上記コンテンツデータ中の所定の選択領域の位置を移動すべき旨の上記操作信号を受信して当該操作信号に従った指示をする選択領域移動指示手順と、上記選択領域移動指示手順において行われた指示に従って上記選択領域の位置を移動させて表示させる選択領域表示手順と、上記コンテンツデータ中に表示された所定のリンクを選択すべき旨の上記操作信号を受信して当該操作信号に従った指示をするリンク選択指示手順と、上記リンク選択指示手順において選択を指示された上記所定のリンクに対応するリンク表示の表示位置が上記選択領域内に属する場合に上記所定のリンクを選択するリンク選択手順と、上記選択された所定のリンクのリンク先に対して上記所定のコンテンツデータを返信すべき旨の要求を送信する送信手順とを具備することを特徴とする処理方法またはこれらの手順をコンピュータに実行させるプログラムである。これにより、ＷＥＢブラウザに表示されたリンクの選択を容易にさせるという作用をもたらす。
【発明の効果】
【００２３】
本発明によれば、ＷＥＢブラウザに表示されたリンクを容易に選択させるという優れた効果を奏し得る。
【発明を実施するための最良の形態】
【００２４】
次に本発明の第１の実施の形態について図面を参照して詳細に説明する。
【００２５】
図１は、本発明の第１の実施の形態における情報処理装置１００の機能構成の一例を示す図である。本発明の第１の実施の形態における情報処理装置１００は、通信部１０と、受信データ保持部２０と、リンク表示位置抽出部３０と、リンク表示位置情報保持部４０と、選択領域表示部５０と、選択リンク制御部６０と、操作信号受信部７０と、操作指示部８０とを備える。
【００２６】
通信部１０は、ネットワーク上から電気信号の形式で供給されたデータなどを受信して情報処理装置１００が扱えるデータに変換する処理を行うものである。また、通信部１０は、データを電気信号の形式に変換してネットワーク上に送信するものである。本発明の第１の実施の形態においてネットワーク上から受信するデータとしては、例えば（図示しない）ＷＥＢサーバから供給されたコンテンツデータが想定される。また、本発明の実施の形態においてコンテンツデータとしては、例えばＨＴＭＬ（HyperText Markup Language）で記述されたコンテンツデータが想定されるが、これに限るものではない。また、送信するデータとしては、例えばコンテンツデータに含まれるリンクのリンク先に対するコンテンツデータを返信すべき旨の要求が想定される。受信データ保持部２０は、通信部１０において受信したコンテンツデータなどを保持するものである。
【００２７】
リンク表示位置抽出部３０は、コンテンツデータに含まれるリンクに対応する表示（以下、リンク表示と呼ぶ。）の表示位置を抽出するものである。すなわち、ＷＥＢブラウザにおいてコンテンツデータが表示される領域中におけるリンク表示の位置を抽出するものである。なお、ＷＥＢブラウザは、コンテンツデータなどをブラウズする機能を有するソフトウェアであり、ＨＴＭＬのタグに従ってレイアウトを再現し、文字や画像、動画、音声などを再生するものである。
【００２８】
また、リンク表示位置抽出部３０は、位置情報抽出部３１と、リンク表示縦横幅決定部３２と、リンク表示座標決定部３３とを備える。位置情報抽出部３１は、受信データ保持部２０に保持されているコンテンツデータよりリンクに関する情報を抽出するものである。
【００２９】
例えば、コンテンツデータがＨＴＭＬで記述されている場合、リンクについてのタグは＜Ａ  ＨＲＥＦ＝"ＵＲＬ（Uniform Resource Locator）アドレス"＞（リンク表示させる文字または画像）＜／Ａ＞と表されるが、これはリンクに関する情報としてリンク表示位置抽出部３０において抽出される。また、コンテンツデータがＨＴＭＬで記述されている場合、リンクがテーブル内に記述されていることもある。この場合は、リンク表示の表示位置はテーブルの位置を基準として表される。テーブルについてのタグは＜ＴＡＢＬＥ＞〜＜／ＴＡＢＬＥ＞で表されるが、この記述に基づいてコンテンツデータが表示される領域（以下、コンテンツデータ表示領域と呼ぶ。）に対するテーブルの表示位置を把握できる。これもリンクに関する情報としてリンク表示位置抽出部３０において抽出される。
【００３０】
リンク表示縦横幅決定部３２は、リンク表示位置抽出部３０で抽出されたリンクに関する情報に基づいてリンク表示の縦幅と横幅を決定するものである。リンク表示における縦幅と横幅としては、例えば、リンク表示において"特許"と表示されている場合、この文字に外接するように長方形を考えた際の長方形の縦幅と横幅が想定される。
【００３１】
リンク表示座標決定部３３は、リンク表示位置抽出部３０で抽出された情報に基づいてコンテンツデータ表示領域に対するリンク表示の座標を決定するものである。コンテンツデータ表示領域としては、例えば上述のＷＥＢブラウザにおいてコンテンツデータが表示される領域が想定される。なお、本発明の第１の実施の形態において座標は、絶対座標と相対座標を考える。絶対座標とは、コンテンツデータ表示領域を基準に原点位置と座標軸の方向を考えた場合の座標である。また、相対座標とは、上述のコンテンツデータ中のテーブルが表示される領域（以下、テーブル表示領域と呼ぶ。）を基準に原点位置と座標軸の方向を考えた場合の座標である。リンク表示座標決定部３３についてさらに以下に説明する。
【００３２】
リンク表示座標決定部３３は、テーブル絶対座標決定部３４と、リンク表示相対座標決定部３５と、リンク表示絶対座標決定部３６とを備える。テーブル絶対座標決定部３４は、リンク表示位置抽出部３０で抽出されたテーブルに関する情報に基づいてコンテンツデータ表示領域に対するテーブルにおける所定の点の絶対座標を決定するものである。リンク表示相対座標決定部３５は、リンク表示位置抽出部３０で抽出されたリンクおよびテーブルに関する情報に基づいてテーブル表示領域に対するリンク表示の所定の点の相対座標を決定するものである。
【００３３】
リンク表示絶対座標決定部３６は、リンク表示相対座標決定部３５で決定された相対座標に基づいてコンテンツデータ表示領域に対するリンク表示における所定の点の絶対座標を決定するものである。すなわち、リンク表示がテーブル表示領域内に位置する場合には、まず、コンテンツデータ表示領域に対するテーブルの絶対座標を決定する。次にテーブル表示領域に対するリンク表示の相対座標を決定する。その相対座標とコンテンツデータ表示領域に対するテーブルの絶対座標に基づいてリンク表示のコンテンツデータ表示領域に対する絶対座標を決定する。
【００３４】
また、リンク表示絶対座標決定部３６は、リンク表示がテーブル表示領域内に位置していない場合にはリンク表示位置抽出部３０で抽出されたリンクに関する位置情報に基づいて直接リンク表示の所定の点の絶対座標を決定する。
【００３５】
リンク表示位置情報保持部４０は、リンク表示縦横幅決定部３２で決定されたリンク表示の縦幅と横幅およびリンク表示絶対座標決定部３６で決定されたリンク表示の所定の点の絶対座標を保持するものである。
【００３６】
選択領域表示部５０は、コンテンツデータと選択領域とを表示するものである。ここで、選択領域とはコンテンツデータ表示領域中において所定の面積をもった領域のことを言う。選択領域表示部５０は、後述する方向指示部８１からの指示に従って選択領域を移動させて表示する。また、選択領域表示部５０は、後述する操作決定部８２からの指示に従って選択領域を除去する。
【００３７】
本発明の第１の実施の形態においてこの選択領域は、例えば選択領域とそれ以外の領域との間に輝度に差を設けて表示させることが想定される。すなわち、選択領域の輝度を高くしそれ以外の領域の輝度を低くする。これにより、ユーザーに選択領域を容易に認識させることができる。
【００３８】
また、本発明の第１の実施の形態において選択領域としては、選択領域の輪郭の形状を円形または楕円形にしたものが想定されるが、これに限るものではなく、選択領域の輪郭の形状を四角形およびその他の多角形にしたものでもよい。また、選択領域の移動の態様としては、縦横に１ピクセル単位で移動させる態様であってもよく、コンテンツデータ表示領域を所定数の領域に分割して領域単位で選択領域を移動させる態様であってもよい。また、分割された領域をさらに分割した小領域を選択領域として小領域単位で選択領域を移動させる態様であってもよい。
【００３９】
図１における選択領域表示部５０の一機能である円形選択領域表示部５１は、選択領域の輪郭の形状を円形にして、選択領域の移動態様としては縦横に１ピクセル単位で移動させて表示するものである。また、選択領域表示部５０の一機能である分割選択領域表示部５２は、選択領域の輪郭の形状を四角形にして、選択領域の移動態様としてはコンテンツデータ表示領域を所定数の領域に分割して領域単位で移動させて表示するものである。上述のようにこの領域をさらに分割した小領域を選択領域として小領域単位で選択領域を移動させて表示するものであってもよい。
【００４０】
選択リンク制御部６０は、リンク表示位置情報保持部４０に保持されたリンク表示の位置情報に基づいて上述の選択領域内に位置するリンク表示を選択させるものである。すなわち、選択リンク制御部６０は、選択領域表示部５０において表示された選択領域内に位置するリンク表示に限って選択させる。
【００４１】
また、選択リンク制御部６０は、選択領域内に位置するリンク表示に選択領域内に位置する旨の表示をさせるよう選択領域表示部５０に伝える。これを受けると、選択領域表示部５０は選択領域内に位置するリンク表示に選択領域内に位置する旨の表示をさせる。選択領域内に位置する旨の表示としては、例えば選択領域内に位置するリンク表示に他のリンク表示とは相違する色を付した着色表示や、またリンク表示を枠線で囲った枠表示が想定されるがこれに限るものではない。
【００４２】
操作信号受信部７０は、操作端末２００から送信された操作信号を受信して操作信号に対応する信号を操作指示部８０に供給するものである。なお、本発明の実施の形態において情報処理装置１００と操作端末２００との間の通信方式は、例えば赤外線通信方式が想定されるが、これに限るものではなく、その他の無線通信方式または有線通信方式でもよい。
【００４３】
操作指示部８０は、選択領域表示部５０および選択リンク制御部６０に対して操作端末２００から送信された操作信号に対応する指示をするものである。具体的には、操作指示部８０は、方向指示部８１と、操作決定部８２と、表示選択部８３とを備える。
【００４４】
方向指示部８１は、選択領域が移動すべき方向を選択領域表示部５０に対して指示するものである。また、方向指示部８１は、選択領域内に位置するいずれのリンク表示に上述の着色表示や枠表示を移動させるべきかを選択リンク制御部６０に対して指示する。この指示を受けて選択リンク制御部６０は、選択領域表示部５０に指示通りに着色表示や枠表示を表示させる。
【００４５】
操作決定部８２は、選択領域の位置を決定して選択領域の除去を選択領域表示部５０に対して指示するものである。また、操作決定部８２は、着色表示や枠表示が付されたリンク表示を選択すべき指示を選択リンク制御部６０に対して行う。
【００４６】
表示選択部８３は、操作信号受信部７０から供給される操作信号に対応する信号に基づいて円形選択領域表示部５１および分割選択領域表示部５２のいずれの機能を用いるかを選択するものである。
【００４７】
図２は、本発明の第１の実施の形態における情報処理装置１００における表示画面３００に表示されたコンテンツデータの一例を示すものである。表示画面３００には、「リンク集」とのタイトルを有するコンテンツデータを取り込んだＷＥＢブラウザが表示されている。図２（ａ）のＷＥＢブラウザにおけるコンテンツデータ表示領域の左上端の点３１０は、図１において説明したコンテンツデータ表示領域の原点に相当する点である。また、座標軸としては、表示画面３００上の縦方向と横方向が想定される。すなわち、図１で説明した絶対座標は原点を点３１０とし、座標軸を表示画面３００上の縦方向と横方向とした２次元空間で表される。
【００４８】
また、テーブル３２０ａ乃至３２０ｃは、図１において説明したテーブルを示すものである。テーブル３２０ａ乃至３２０ｃの左上端の点３３０ａ乃至３３０ｃは、図１において説明したテーブル表示領域の原点に相当する点である。また、座標軸としては、テーブルの縦方向と横方向が想定される。すなわち、図１で説明した相対座標は、テーブル３２０ａについては原点を点３３０ａとし、座標軸をテーブルの縦方向と横方向とした２次元空間で表される。また、相対座標は、テーブル３２０ｂについては原点を点３３０ｂとし、座標軸をテーブルの縦方向と横方向とした２次元空間で表される。テーブル３２０ｃについても同様に考えられる。
【００４９】
図２（ｂ）は、リンク表示の縦横幅を示す図である。コンテンツデータ中のリンク表示「ニュース」を例にとって説明する。リンク表示「ニュース」に外接する四角形の左上端の点３４０がリンク表示における座標の基準となる点である。すなわち、絶対座標と相対座標は、点３４０における絶対座標と相対座標を決定することになる。なお、座標の基準となる点は、その他の点であってもよい。また、リンク表示「ニュース」の縦幅および横幅は、例えばリンク表示「ニュース」に外接する四角形の縦幅Ｈおよび横幅Ｌが想定される。
【００５０】
図３は、図１において説明したリンク表示位置情報保持部４０の内容の一例を示す図である。リンク表示位置情報保持部４０には、リンク名４１と、絶対座標４２と、縦幅４３と、横幅４４が含まれる。
【００５１】
リンク名４１は、「ニュース」などのリンク表示における名称を示すものである。なお、リンク表示が画像である場合には、例えばその画像のファイル名をリンク名４１とすることが想定される。また、絶対座標４２は、コンテンツデータ表示領域に対するリンク表示の所定の点の絶対座標である。コンテンツデータ表示領域としては、例えば図２で示したＷＥＢブラウザにおけるコンテンツデータの表示領域が想定される。縦幅４３は、リンク表示の縦幅を示すものであり、例えば図２で示したリンク表示に外接する四角形の縦幅Ｈが想定される。また、横幅４４は、リンク表示の横幅を示すものであり、例えば図２で示したリンク表示に外接する四角形の横幅Ｌが想定される。
【００５２】
これらの位置情報に基づいてリンク表示の位置は決定される。すなわち、リンク表示の絶対座標とリンク表示の縦幅と横幅がわかればリンク表示の位置を特定できる。
【００５３】
図４は、本発明の第１の実施の形態における操作端末２００を示す図である。同図に示すように、操作端末２００は、電源をオン／オフするときに操作される電源ボタン２１１と、チャンネル選択時に操作されるテンキー２１２と、チャンネルを順次選択するときに操作されるチャンネルボタン２１３と、音量調節を行うときに操作される音量ボタン２１４とを有している。
【００５４】
また、操作端末２００は、システムメニューの表示を指示するときに操作されるシステムメニューボタン２１５と、タイトルリストの表示を指示するときに操作されるタイトルリストボタン２１６と、ツールの表示を指示するときに操作されるツールボタン２１７と、左右上下へのカーソル移動と決定を指示するときに操作される移動決定ボタン２１８と、再生中の映像を後方にスキップさせるときに操作される後方スキップボタン２１９と、再生中の映像を前方にスキップさせるときに操作される前方スキップボタン２２０とを有している。
【００５５】
本発明の第１の実施の形態において移動決定ボタン２１８は、選択領域の移動と選択領域の位置の決定に用いられる。また、移動決定ボタン２１８は、選択領域の位置の決定後に行われるリンク表示に対する着色表示または枠表示の移動およびリンク表示の選択にも用いられる。
【００５６】
この後方スキップボタン２１９および前方スキップボタン２２０は、所定時間以上連続して押下し続けられると、その間、押下する操作が複数回に亘り繰り返し行われたときと同様に機能するようになっている。さらにまた、操作端末２００は、前のタイトル、チャプター、または、トラックに進むとき操作される前ボタン２２１と、次のタイトル、チャプター、または、トラックに進むとき操作される次ボタン２２４と、巻き戻しするときに操作される巻戻ボタン２２２と、早送りするときに操作される早送ボタン２２３と、再生を指示するときに操作される再生ボタン２２５と、再生の一時停止を指示するときに操作される一時停止ボタン２２６と、再生の停止を指示するときに操作される停止ボタン２２７とを有している。
【００５７】
図５は、本発明の第１の実施の形態における情報処理装置１００の表示画面３００の一例を示す図である。本発明の第１の実施の形態における情報処理装置１００の表示画面３００は、図１において説明した円形選択領域表示部５１により実現されるものである。表示画面３００には、「リンク集」とのタイトルを有するコンテンツデータを取り込んだＷＥＢブラウザが表示されている。ＷＥＢブラウザのコンテンツデータ表示領域中に選択領域３５０が表示されている。選択領域３５０は、その輪郭が円形状になっており、選択領域３５０以外の領域と比べて輝度を高くして表示されている。これにより、ユーザーは、選択領域３５０の位置を容易に把握することができる。
【００５８】
選択領域３５０は、操作端末２００における移動決定ボタン２１８によって移動させることができる。図５においては、一例として左方向の矢印を示してあるが、移動方向はこれに限らず他の方向へも可能である。
【００５９】
選択領域３５０内に位置するリンク表示３６１乃至３６６には、選択領域３５０内に位置する旨の表示である枠表示が付されているが、これに限るものではなく、上述の着色表示であってもよい。選択領域３５０を操作端末２００により移動させるとリンク表示３６１乃至３６６の枠表示は消えて、選択領域３５０内に位置する他のリンク表示に枠表示が付される。選択領域３５０内に位置するリンク表示に選択領域３５０内に位置する旨の表示である枠表示を付すことによって、ユーザーは、選択領域内にあるリンク表示を容易に把握することができる。
【００６０】
図６は、コンテンツデータ中のリンク表示３７６の「メール」を選択するまでの様子を示す図である。図５において表示された位置にある選択領域３５０を操作端末２００における移動決定ボタン２１８で左方向へ移動させて、図６（ａ）に示すように選択領域３５０内にリンク表示３７６の「メール」が位置するようにする。図６において選択領域３５０内にはリンク表示３７１乃至３７６が含まれており、リンク表示３７１乃至３７６は枠表示が付されている。
【００６１】
選択領域３５０内にリンク表示３７６の「メール」が位置するようにした後に、操作端末２００における移動決定ボタン２１８の中央部の決定ボタンを押下すると、図６（ｂ）に示すように表示される。すなわち、選択領域３５０が除去され選択領域３５０とそれ以外の領域の輝度が同じ輝度になり、枠表示されていたリンク表示３７１乃至３７６のいずれか一つの枠表示の枠線が太くなる。この枠表示の枠線が太くなった表示を以下、太枠表示と呼ぶこととする。この場合、操作端末２００における移動決定ボタン２１８により選択できるリンク表示は、枠表示が付されたリンク表示のみになる。
【００６２】
太枠表示は、操作端末２００における移動決定ボタン２１８の方向ボタンにより移動させることができる。操作端末２００における移動決定ボタン２１８の方向ボタンにより太枠表示をリンク表示３７６の「メール」まで移動させる。ここで、操作端末２００における移動決定ボタン２１８の決定ボタンを押下すると太枠表示が表示されたリンク表示３７６の「メール」を選択したことになり、リンク表示３７６の「メール」に対応するコンテンツデータがＷＥＢブラウザに表示される。
【００６３】
以上のように、選択領域で複数のリンク表示を選択してその後に選択領域内にあるリンク表示を選択させるようにすれば、細かく表示されているリンク表示が多数あるコンテンツデータにおけるリンク表示を容易に選択できる。
【００６４】
図７は、本発明の第２の実施の形態における表示画面３００を示す図である。本発明の第２の実施の形態においては、ライト表示４１０を設けて選択領域４１１がライトで照らされているように表示させたものである。なお、ライト表示４１０は一例であって、ライト表示４１０以外のデザインを有する表示であってもよい。ライト表示４１０により照らされた選択領域４１１内に含まれるリンク表示４２１乃至４２６には、本発明の第１の実施の形態と同様に枠表示が表示される。ライト表示４１０を設けることにより、ユーザーは他の領域よりも輝度を高くした選択領域４１１を違和感なく受け入れさせることができる。
【００６５】
図８は、本発明の第３の実施の形態における表示画面３００を示す図である。本発明の第３の実施の形態における表示画面３００は、図１において説明した分割選択領域表示部５２により実現されるものである。図８においては、コンテンツデータ表示領域を９分割している。９分割された領域のうち何れかが選択領域となる。図９においては、例えば初期設定として９分割された領域中の中央に位置する領域が選択領域になるようになっている。なお、本発明の実施の形態においては、コンテンツデータ表示領域の分割数は９分割に限るものではなく、その他の分割数であってもよい。
【００６６】
選択領域５１０は、領域毎に移動でき、操作端末２００における移動決定ボタン２１８によって移動させられる。なお、図９においては、選択領域５１０の移動は４方向しか移動させないようにしてもよく、８方向移動できるようにしてもよい。
【００６７】
図９は、コンテンツデータ中のリンク表示５２２の「企業」を選択するまでの様子を示す図である。初期設定として、例えば選択領域５１０は分割した領域の中央に位置するものとする。まず、操作端末２００における移動決定ボタン２１８により、選択領域５１０を図９（ａ）に示すリンク表示５２２の「企業」を含む位置に移動させる。
【００６８】
選択領域５１０をリンク表示５２２の「企業」を含む位置に移動させた後、操作端末２００における移動決定ボタン２１８における決定ボタンを押下して、分割した領域をさらに９つの小領域に分割する。これにより、図９（ｂ）に示すように表示される。この場合も初期設定として、例えば分割された後の小領域の中央に選択領域５１１は位置するものとする。選択領域５１１は、小領域毎に移動でき、この移動も操作端末２００における移動決定ボタン２１８により行う。なお、選択領域５１１の小領域における移動は、４方向しか移動させないようにしてもよく、８方向移動できるようにしてもよい。
【００６９】
選択領域５１１内に位置するリンク表示５２１乃至５２４には、選択領域５１１内に位置することを示す枠表示がされる。なお、図９（ａ）においては、選択領域５１０内に位置するリンク表示には枠表示はされていないが、枠表示をさせるようにしてもよい。
【００７０】
図１０は、図９（ｂ）における選択領域５１１の拡大図である。図９（ｂ）においてリンク表示５２２の「企業」を含む位置で操作端末２００における移動決定ボタン２１８の決定ボタンを押下すると、選択領域５１１とそれ以外の領域の輝度が同じ輝度になり、枠表示が付されたリンク表示５２１乃至５２４のいずれか一つに太枠表示が表示される。
【００７１】
操作端末２００における移動決定ボタン２１８により太枠表示をリンク表示５２２の「企業」に移動させた後に、操作端末２００における移動決定ボタン２１８の決定ボタンを押下すると、リンク表示３７６の「メール」を選択したことになり、リンク表示３７６の「メール」に対応するコンテンツデータがＷＥＢブラウザに表示される。
【００７２】
図１１は、本発明の別の実施の形態における操作端末６００を示す図である。操作端末６００は、図１１（ａ）に示すように図２に示した操作端末２００におけるテンキー２１２をプリセンス６１０に置き換えたものである。その他の部分については、操作端末６００は、操作端末２００と同様なので説明を省略する。なお、操作端末６００は、図１における操作端末に対応するものである。
【００７３】
プリセンス６１０は、プリセンス６１０に対して外部から接触等の弱い圧力を加えた場合と押下等の強い圧力を加えた場合とで、異なる操作信号を出力する機能をもったキーである。図１１（ａ）において操作端末６００は、２５個のプリセンス６１０を備え、プリセンス６１０は操作端末２００の表面に５×５のマトリクス状に配置されているが、これに限るものでない。例えば、従来のテレビ用リモコンに準じて、プリセンス６１０の数を１２個として操作端末６００の表面にプリセンス６１０を３×４のマトリクス状に配置するものであってもよい。
【００７４】
図１１（ｂ）は、プリセンス６１０の断面の一例を示す図である。プリセンス６１０の構造は、キー上端部６１１ａおよびキー下端部６１１ｂを備えたキー６１１と、低圧接点部材６１２ａおよび６１２ｂとスペーサ６１２ｃおよび６１２ｄとを備えた感圧スイッチ６１２と、タクトスイッチ（tactile switch）６１３と、プリント基板６１４とを備える。感応スイッチ６１２、タクトスイッチ６１３およびプリント基板６１４は、操作端末カバー６１５によって外部から保護されている。
【００７５】
キー６１１は、外部から接触操作入力または押下操作入力を受ける対象になる部材である。キー上端部６１１ａが接触操作入力または押下操作入力を図３の矢印方向に受けると、キー下端部６１１ｂは低圧接点部材６１２ａに対して弱い圧力または強い圧力を加える。すなわち、キー下端部６１１ｂは感圧スイッチ６１２に対して弱い圧力または強い圧力を加える。
【００７６】
感圧スイッチ６１２は、低圧接点部材６１２ａと低圧接点部材６１２ｂとの間にスペーサ６１２ｃおよび６１２ｄが挟まれた構造をしており、キー下端部６１１ｂからの圧力を受けていない状態において低圧接点部材６１２ａと低圧接点部材６１２ｂとは、スペーサ６１２ｃおよび６１２ｄの厚さ分離れている。感圧スイッチ６１２は、キー下端部６１１ｂからの圧力を受けていない状態においてスイッチオフ状態になる。
【００７７】
低圧接点部材６１２ａは、キー下端部６１１ｂから弱い圧力を受けると湾曲して低圧接点部材６１２ａの中央付近が低圧接点部材６１２ｂに近づく。スペーサ６１２ｃとスペーサ６１２ｄとの間は所定距離離れているため、低圧接点部材６１２ａの湾曲が進むと、低圧接点部材６１２ａの中央付近は低圧接点部材６１２ｂに接触する。感圧スイッチ６１２は、低圧接点部材６１２ａの中央付近が低圧接点部材６１２ｂに接触するとスイッチオンになる。
【００７８】
低圧接点部材６１２ａまたは低圧接点部材６１２ｂは、プリント基板６１４に設けられた（図示しない）信号出力回路と接続されており、感圧スイッチ６１２がオンになるとそれに対応する操作信号が（図示しない）信号出力回路から出力される。
【００７９】
さらに、キー上端部６１１ａが押下操作入力を受けるとキー下端部６１１ｂは、低圧接点部材６１２ａに対して強い圧力を加え、それに伴い低圧接点部材６１２ａは低圧接点部材６１２ｂに対して強い圧力を加える。そして、低圧接点部材６１２ｂは、タクトスイッチ６１３に対して強い圧力を加える。この強い圧力が所定の圧力を超えると、タクトスイッチ６１３はオンになる。
【００８０】
タクトスイッチ６１３は、プリント基板６１４に設けられた上述の（図示しない）信号出力回路と接続されており、タクトスイッチ６１３がオンになるとそれに対応する操作信号が（図示しない）信号出力回路から出力される。
【００８１】
図１２は、操作端末６００を用いた操作の様子を示す図である。図１２においては、コンテンツデータ表示領域は、５×５のマトリクス状に２５分割されており、操作端末６００のプリセンス６１０も５×５のマトリクス状に配置されている。コンテンツデータ表示領域を２５分割した領域の一つとプリセンス６１０は１対１対応になっている。この場合、図１２に示す左から３番目で上から３番目に位置する着色されたプリセンス６１０に対して接触等の弱い圧力を加えると、コンテンツデータ表示領域における左から３番目で上から３番目に位置する分割領域に選択領域５３０は移動する。そして、所望のリンクを含む位置に選択領域５３０を移動させた後に、その領域に対応するプリセンス６１０に対して押下等の強い圧力を加えると、図９（ｂ）に示したのと同様にその領域がさらに２５分割され、２５個の小領域が生成される。その後、所望のリンクを含んだ小領域に対応するプリセンス６１０を押下することによってリンクを選択する。なお、リンクの大きさによっては、１つのリンクが複数の小領域に含まれることが想定される。この場合は、そのリンクを含む小領域に対応する何れのプリセンス６１０を押下しても、そのリンクを選択することになる。
【００８２】
なお、プリセンス６１０を用いた他の操作方法として、以下のようにジェスチャ入力を利用してもよい。ジェスチャ入力とは、少なくとも２以上のキーが設けられたリモコンにおいて予め決められた順にキーに対して入力を行うものである。ジェスチャ入力における操作としては、例えばキーからそのキーの隣に配置されたキーへと連続して間断なく入力していくことが想定される。一つのジェスチャ入力は、所定の要求と対応付けられている。
【００８３】
ジェスチャ入力による被操作対象機器に対する要求送信を実現する操作端末６００としては、ジェスチャ入力されたプリセンスに対応する出力信号を時系列に記憶するバッファと、ジェスチャ入力に対応する信号列とそれに対応する要求を関連付けたテーブルとを備えたものを想定することができる。プリセンスに接触等の弱い圧力または押下等の強い圧力を加えると、そのプリセンスに対応する操作信号が出力され、その操作信号はバッファに記憶される。ジェスチャ入力を行うと複数のプリセンスに対応する操作信号がバッファに時事系列に記憶される。バッファに記憶された複数の操作信号を時系列に並べた信号列が、上述のテーブルに含まれていれば、その信号列と関連付けられた要求が被操作対象機器に送信される。
【００８４】
図１２によりジェスチャ入力の使い方を説明すると、例えば左上端のプリセンス６１０から右上端のプリセンス６１０へジェスチャ入力を行うと、情報処理装置１００へは選択領域５３０を右へ移動すべき旨の要求が送信され、選択領域５３０は右方向へ移動する。同様に考えると、操作端末６００のプリセンス６１０に対して縦方向にジェスチャ入力を行うと、選択領域５３０も縦方向に移動する。ジェスチャ入力により選択領域を移動させた後は、プリセンス６１０を押下することによって、対応するリンク表示を選択する。ジェスチャ入力を以上のように利用すれば、図１２のようにコンテンツデータ表示領域を２５分割と細かく分割しても選択領域５３０を移動させることが容易になる。
【００８５】
図１３は、本発明の第１の実施の形態における情報処理装置１００におけるコンテンツデータを受信した後の動作の流れを示す図である。なお、以下においては、コンテンツデータは、ＨＴＭＬで記述されたデータを含むものとして説明する。
【００８６】
情報処理装置１００においてコンテンツデータを受信すると（Ｓ９１１）、位置情報抽出部３１においてコンテンツデータからリンクについてのタグおよびテーブルについてのタグが抽出される（Ｓ９１２）。ここで、リンク表示の位置がテーブル内にあるものとないものに分けられる（Ｓ９１３）。
【００８７】
リンク表示の位置がテーブル内にない場合、リンク表示絶対座標決定部３６においてリンク表示の絶対座標が決定される（Ｓ９１４）。また、リンク表示縦横幅決定部３２においてリンク表示の縦幅と横幅が決定される（Ｓ９１５）。ステップ９１４およびステップ９１５において決定されたリンク表示の絶対座標およびリンク表示の縦幅と横幅は、リンク表示位置情報保持部４０において保持される（Ｓ９２２）。
【００８８】
リンク表示の位置がテーブル内にある場合、まず、テーブルについてのタグに基づいてテーブル絶対座標決定部３４においてテーブルの所定の点の絶対座標が決定される（Ｓ９１６）。次に、リンク表示相対座標決定部３５において所定のテーブル内に位置するリンク表示の相対座標が決定される（Ｓ９１７）。また、リンク表示縦横幅決定部３２においてリンク表示の縦幅および横幅が決定される（Ｓ９１８）。
【００８９】
以上の処理が終了すると、所定のテーブル内に位置する全てのリンク表示に対してステップＳ９１７およびステップＳ９１８の処理が終了したか否かが判断される（Ｓ９１９）。所定のテーブル内に位置する全てのリンク表示に対してステップＳ９１７およびステップＳ９１８の処理が終了していないと判断された場合、所定のテーブル内に位置する他のリンク表示に対してステップＳ９１７およびステップＳ９１８の処理を行う。一方、所定のテーブル内に位置する全てのリンク表示に対してステップＳ９１７およびステップＳ９１８の処理が終了したと判断された場合、コンテンツデータに含まれる全てのテーブルに対してステップ９１６における処理が終了したか否か判断される（Ｓ９２０）。
【００９０】
コンテンツデータに含まれる全てのテーブルに対してステップ９１６における処理が終了していないと判断されると、ステップＳ９１６に戻る。一方、コンテンツデータに含まれる全てのテーブルに対してステップ９１６における処理が終了したと判断されると、ステップＳ９１７で決定されたリンク表示の相対座標が絶対座標に変換される（Ｓ９２１）。変換された絶対座標およびステップＳ９１８において決定されたリンク表示の縦幅と横幅は、リンク表示位置情報保持部４０において保持される（Ｓ９２２）。
【００９１】
次に、円形選択領域表示部５１および分割選択領域表示部５２の何れに選択領域を表示させるかが判断される（Ｓ９２３）。何れに選択領域を表示させるかは、操作端末２００から送信された操作信号に基づいて表示選択部８３において選択される。円形選択領域表示部５１に選択領域を表示させる場合は、円形選択領域表示部５１において所定の処理が行われ（Ｓ９２４）、分割選択領域表示部５２に選択領域を表示させる場合は、分割選択領域表示部５２において所定の処理が行われる（Ｓ９２５）。
【００９２】
図１４は、円形選択領域表示部５１における処理の流れを示す図である。まず、円形選択領域表示部５１は、ＷＥＢブラウザのコンテンツデータ表示領域にその輪郭を円形状とした選択領域を表示する（Ｓ９３１）。選択領域の表示態様は、例えば選択領域の輝度を選択領域以外の領域の輝度よりも高くすることが想定される。
【００９３】
次に、円形選択領域表示部５１は、方向指示部８１から選択領域を移動すべき旨の指示がされたか否かを判断する（Ｓ９３２）。方向指示部８１から選択領域を移動すべき旨の指示がされたと判断すると、円形選択領域表示部５１は選択領域を移動させて表示する（Ｓ９３３）。
【００９４】
次に、選択リンク制御部６０は、選択領域内にリンク表示があるか否かを判断する（Ｓ９３４）。選択領域内にリンク表示があると判断されると、選択リンク制御部６０は、そのリンク表示について円形選択領域表示部５１に対して通知し、円形選択領域表示部５１はそのリンク表示に対して上述の枠表示を付する（Ｓ９３５）。なお、ステップＳ９３５において、リンク表示に対して付されるのは枠表示に限るものではなく、上述の着色表示であってもよい。選択領域内にリンク表示がないと判断されると、ステップＳ９３２に戻る。
【００９５】
ステップＳ９３５の次に、円形選択領域表示部５１は、操作決定部８２から選択領域の位置を決定する旨の指示がされたか否かを判断する（Ｓ９３６）。操作決定部８２から選択領域の位置を決定する旨の指示がされたと判断すると、円形選択領域表示部５１は選択領域の表示を除去する（Ｓ９３７）。この場合、ＷＥＢブラウザのコンテンツデータ表示領域には、コンテンツデータとリンク表示に付された枠表示のみが表示される。また、リンク表示に付された枠表示のうちの何れか一つの枠表示は上述の太枠表示が付される。
【００９６】
次に、円形選択領域表示部５１は、操作決定部８２から選択領域の位置の決定を解除する旨の指示がされたか否かを判断する（Ｓ９３８）。操作決定部８２から選択領域の位置の決定を解除する旨の指示がされたと判断されると、再びその輪郭を円形とする選択領域が表示されることになり、ステップＳ９３１に戻る。一方、操作決定部８２から選択領域の位置の決定を解除する旨の指示がされていないと判断されると、選択リンク制御部６０は、操作決定部８２から太枠表示が付されたリンク表示を選択すべき旨の指示がされたか否かを判断する（Ｓ９３９）。選択リンク制御部６０において操作決定部８２から太枠表示が付されたリンク表示を選択すべき旨の指示がされたと判断されると、そのリンク表示に対応するリンク先に対してコンテンツデータを返信すべき旨の要求が送信される
（Ｓ９４０）。
【００９７】
ステップ９３９において操作決定部８２から太枠表示が付されたリンク表示を選択すべき旨の指示がされていないと判断されると、選択リンク制御部６０は、方向指示部８１から太枠表示を別のリンク表示へ移動すべき旨の指示がされたか否かを判断する（Ｓ９４１）。選択リンク制御部６０において方向指示部８１から太枠表示を別のリンク表示へ移動すべき旨の指示がされたと判断されると、次に、指示された別のリンク表示へ移動可能か否かが判断される（Ｓ９４２）。すなわち、ステップＳ９３６において選択領域の位置が決定されると、選択可能なリンクは選択領域内に属するリンクに限られるため、ステップＳ９４１において指示された別のリンク表示へ移動可能か否かが判断される。指示された別のリンク表示へ移動可能と判断されると、太枠表示は指示された別のリンク表示へ移動し（Ｓ９４３）、その後ステップＳ９３８に戻る。
【００９８】
図１５は、分割選択領域表示部５２における処理の流れを示す図である。まず、分割選択領域表示部５２は、ＷＥＢブラウザのコンテンツデータ表示領域を所定数に分割してその分割された領域（以下、大領域と呼ぶ。）の一つに選択領域を表示する（Ｓ９５１）。
【００９９】
次に、分割選択領域表示部５２は、方向指示部８１から選択領域を移動すべき旨の指示がされたか否かを判断する（Ｓ９５２）。方向指示部８１から選択領域を移動すべき旨の指示がされたと判断すると、分割選択領域表示部５２は選択領域を移動させて表示する（Ｓ９５３）。なお、分割選択領域表示部５２は、選択領域を大領域毎に移動させる。
【０１００】
次に、選択リンク制御部６０は、選択領域内にリンク表示があるか否かを判断する（Ｓ９５４）。選択領域内にリンク表示があると判断されると、選択リンク制御部６０は、そのリンク表示について分割選択領域表示部５２に対して通知し、分割選択領域表示部５２はそのリンク表示に対して上述の枠表示を付する（Ｓ９５５）。なお、ステップＳ９５５において、リンク表示に対して付されるのは枠表示に限るものではなく、上述の着色表示であってもよい。選択領域内にリンク表示がないと判断されると、ステップＳ９５２に戻る。
【０１０１】
ステップＳ９５５の次に、分割選択領域表示部５２は、操作決定部８２から選択領域の位置を決定する旨の指示がされたか否かを判断する（Ｓ９５６）。操作決定部８２から選択領域の位置を決定する旨の指示がされていないと判断されると、ステップＳ９５２に戻る。一方、操作決定部８２から大領域において選択領域の位置を決定する旨の指示がされたと判断されると、分割選択領域表示部５２は、大領域をさらに所定数の領域（以下、小領域と呼ぶ。）に分割して小領域の一つに選択領域を表示させてステップ９５２に戻り小領域についてさらにステップＳ９５２乃至ステップＳ９５６の処理を行う（Ｓ９５７）。
【０１０２】
また、操作決定部８２から小領域において選択領域の位置を決定する旨の指示がされたと判断されると、分割選択領域表示部５２は選択領域の表示を除去する（Ｓ９５８）。この場合、ＷＥＢブラウザのコンテンツデータ表示領域には、コンテンツデータとリンク表示に付された枠表示が表示される。また、リンク表示に付された枠表示のうちの何れか一つの枠表示は上述の太枠表示が付される。
【０１０３】
次に、分割選択領域表示部５２は、操作決定部８２から選択領域の位置の決定を解除する旨の指示がされたか否かを判断する（Ｓ９５９）。操作決定部８２から選択領域の位置の決定を解除する旨の指示がされたと判断されると、ステップＳ９５１に戻る。一方、操作決定部８２から選択領域の位置の決定を解除する旨の指示がされていないと判断されると、選択リンク制御部６０は、操作決定部８２から太枠表示が付されたリンク表示を選択すべき旨の指示がされたか否かが判断する（Ｓ９６０）。選択リンク制御部６０において操作決定部８２から太枠表示が付されたリンク表示を選択すべき旨の指示がされたと判断されると、そのリンク表示に対応するリンク先に対してコンテンツデータを返信すべき旨の要求が送信される（Ｓ９６１）。
【０１０４】
ステップ９６０において操作決定部８２から太枠表示が付されたリンク表示を選択すべき旨の指示がされていないと判断されると、選択リンク制御部６０は、方向指示部８１から太枠表示を別のリンク表示へ移動すべき旨の指示がされたか否かを判断する（Ｓ９６２）。選択リンク制御部６０において方向指示部８１から太枠表示を別のリンク表示へ移動すべき旨の指示がされたと判断されると、次に、指示された別のリンク表示へ移動可能か否かが判断される（Ｓ９６３）。すなわち、ステップＳ９５６において小分割領域における選択領域の位置が決定されると、選択可能なリンクは選択領域内に属するリンクに限られるため、ステップＳ９６２において指示された別のリンク表示へ移動可能か否かが判断される。指示された別のリンク表示へ移動可能と判断されると、太枠表示は指示された別のリンク表示へ移動し（Ｓ９６４）、その後ステップＳ９５９に戻る。
【０１０５】
このように、本発明の実施の形態によれば、細かく表示されているリンク表示が多数あるコンテンツデータにおけるリンク表示を容易に選択できる。すなわち、選択領域はある程度の大きさを持っているため、選択領域の移動速度を速くしても容易に所望のリンク表示を選択領域内に位置させることができる。そしてその後は、選択領域内に位置するリンク表示を選択するだけの操作であるため、所望のリンク表示の選択は容易である。
【０１０６】
なお、本発明の第１の実施の形態における情報処理装置１００は、ＷＥＢブラウジング機能を有するテレビなどの他にクリック可能なオブジェクトが多数存在するカーナビゲーション機器においても適用することが可能である。
【０１０７】
なお、本発明の実施の形態は本発明を具現化するための一例を示したものであり、以下に示すように特許請求の範囲における発明特定事項とそれぞれ対応関係を有するが、これに限定されるものではなく本発明の要旨を逸脱しない範囲において種々の変形を施すことができる。
【０１０８】
すなわち、請求項１において、受信手段は、例えば通信部１０に対応する。また、選択領域移動指示手段は、例えば方向指示部８１および操作決定部８２に対応する。また、選択領域表示手段は、例えば選択領域表示部５０に対応する。また、リンク表示位置抽出手段は、例えばリンク表示位置抽出部３０に対応する。また、リンク選択指示手段は、例えば方向指示部８１および操作決定部８２に対応する。また、選択リンク制御手段は、例えば選択リンク制御部６０に対応する。また、送信手段は、例えば通信部１０に対応する。
【０１０９】
また、請求項６において、円形選択領域表示手段は、例えば円形選択領域表示部５１に対応する。また、分割選択領域表示手段は、例えば分割選択領域表示部５２に対応する。また、表示選択手段は、例えば表示選択部８３に対応する。
【０１１０】
また、請求項９において、位置情報抽出手段は、例えば位置情報抽出部３１に対応する。また、リンク表示縦横幅決定手段は、例えばリンク表示縦横幅決定部３２に対応する。また、リンク表示座標決定手段は、例えばリンク表示座標決定部３３に対応する。
【０１１１】
また、請求項１０において、テーブル絶対座標決定手段は、例えばテーブル絶対座標決定部３４に対応する。また、リンク表示相対座標決定手段は、例えばリンク表示相対座標決定部３５に対応する。また、リンク表示絶対座標決定手段は、例えばリンク表示絶対座標決定部３６に対応する。
【０１１２】
また、請求項１５において、受信手段は、例えば通信部１０に対応する。また、選択領域移動指示手段は、例えば方向指示部８１および操作決定部８２に対応する。また、選択領域表示手段は、例えば選択領域表示部５０に対応する。また、リンク表示位置抽出手段は、例えばリンク表示位置抽出部３０に対応する。また、リンク選択指示手段は、例えば方向指示部８１および操作決定部８２に対応する。また、選択リンク制御手段は、例えば選択リンク制御部６０に対応する。また、送信手段は、例えば通信部１０に対応する。また、操作端末は、例えば操作端末２００に対応する。
【０１１３】
また、請求項１６および請求項１７において、操作端末は、例えば操作端末２００に対応する。また、情報処理装置は、例えば情報処理装置１００に対応する。また、リンク表示位置抽出手順は、例えばステップＳ９１２乃至ステップＳ９２１に対応する。また、選択領域移動指示手順は、例えばステップＳ９３２またはステップＳ９５２に対応する。また、選択領域表示手順は、例えばステップＳ９３３またはステップＳ９５３に対応する。また、リンク選択指示手順は、例えばステップＳ９３９およびステップＳ９４１またはステップＳ９６０およびステップＳ９６２に対応する。リンク選択手順は、例えばステップＳ９４２およびステップＳ９４３またはステップＳ９６３およびステップＳ９６４に対応する。また、送信手順は、例えばステップＳ９４０またはステップＳ９６１に対応する。
【０１１４】
なお、本発明の実施の形態において説明した処理手順は、これら一連の手順を有する方法として捉えてもよく、また、これら一連の手順をコンピュータに実行させるためのプログラム乃至そのプログラムを記憶する記録媒体として捉えてもよい。
【図面の簡単な説明】
【０１１５】
【図１】本発明の第１の実施の形態における情報処理装置１００の機能構成の一例を示す図である。
【図２】本発明の第１の実施の形態における情報処理装置１００における表示画面３００に表示されたコンテンツデータの一例を示すものである。
【図３】図１において説明したリンク表示位置情報保持部４０の内容の一例を示す図である。
【図４】本発明の第１の実施の形態における操作端末２００を示す図である。
【図５】本発明の第１の実施の形態における情報処理装置１００の表示画面３００の一例を示す図である。
【図６】コンテンツデータ中のリンク表示３７６の「メール」を選択するまでの様子を示す図である。
【図７】本発明の第２の実施の形態における表示画面３００を示す図である。
【図８】本発明の第３の実施の形態における表示画面３００を示す図である。
【図９】コンテンツデータ中のリンク表示５２２の「企業」を選択するまでの様子を示す図である。
【図１０】図９（ｂ）における選択領域５１１の拡大図である。
【図１１】本発明の別の実施の形態における操作端末６００を示す図である。
【図１２】操作端末６００を用いた操作の様子を示す図である。
【図１３】本発明の第１の実施の形態における情報処理装置１００におけるコンテンツデータを受信した後の動作の流れを示す図である。
【図１４】円形選択領域表示部５１における処理の流れを示す図である。
【図１５】分割選択領域表示部５２における処理の流れを示す図である。
【符号の説明】
【０１１６】
１０  通信部
２０  受信データ保持部
３０  リンク表示位置抽出部
３１  位置情報抽出部
３２  リンク表示縦横幅決定部
３３  リンク表示座標決定部
３４  テーブル絶対座標決定部
３５  リンク表示相対座標決定部
３６  リンク表示絶対座標決定部
４０  リンク表示位置情報保持部
５０  選択領域表示部
５１  円形選択領域表示部
５２  分割選択領域表示部
６０  選択リンク制御部
７０  操作信号受信部
８０  操作指示部
８１  方向指示部
８２  操作指示部
８３  表示選択部
１００  情報処理装置
２００  操作端末
【図１】
2007026356.tif 000003
【図２】
2007026356.tif 000004
【図３】
2007026356.tif 000005
【図４】
2007026356.tif 000006
【図５】
2007026356.tif 000007
【図６】
2007026356.tif 000008
【図７】
2007026356.tif 000009
【図８】
2007026356.tif 000010
【図９】
2007026356.tif 000011
【図１０】
2007026356.tif 000012
【図１１】
2007026356.tif 000013
【図１２】
2007026356.tif 000014
【図１３】
2007026356.tif 000015
【図１４】
2007026356.tif 000016
【図１５】
2007026356.tif 000017